(57)【要約】【課題】人工歯を作成するにあたって、振動による陶材泥の締固めを簡単且つ精度よく行うことができる装置を提供する。【解決手段】支柱を直立に支持してなる本体と、前記支柱から迫り出して設けられた分割コアのセット台と、該セット台の上部に位置して前記支柱に上下スライド自在に設けられ、前記分割コアと合致するように他の分割コアを取付け可能なスライド台とからなる。セット台は支柱に対して上下スライド自在に設けられる。また、セット台と上部のスライド台の間隔を調整可能なスペーサを設けることもある。さらに、本体にフックを設け、上部のスライド台を適宜高さに仮固定可能としたので、セット台へのコアの装着や該コアへの陶材泥の充填時にスライド台が邪魔となることがない。【選択図】　　　　図１
2004016740.tif 000002
【特許請求の範囲】
【請求項１】
支柱を直立に支持してなる本体と、前記支柱から迫り出して設けられた分割コアのセット台と、該セット台の上部に位置して前記支柱に上下スライド自在に設けられ、前記分割コアと合致するように他の分割コアを取付け可能なスライド台とからなることを特徴とした人工歯作製における陶材泥の締め固め装置。
【請求項２】
セット台は支柱に対して上下スライド自在に設けられる請求項１記載の人工歯作製における陶材泥の締め固め装置。
【請求項３】
セット台と上部のスライド台の間隔を調整可能なスペーサを設けた請求項１または２記載の人工歯作製における陶材泥の締め固め装置。
【請求項４】
本体にフックを設け、上部のスライド台を適宜高さに仮固定可能とした請求項１、２または３記載の人工歯作製における陶材泥の締め固め装置。
【発明の詳細な説明】
【０００１】
【発明の属する技術分野】
本発明は、例えば冷凍加工方法により人工歯を作製するにあたり、コアに充填したスラリー状の陶材泥を緻密且つ均一に締め固めるための装置に関するものである。
【０００２】
【従来の技術】
人工歯を作製する場合、コア（印象型）にセラミック粉末等の陶材を水を主とした練和材によって練和してなるスラリー状の陶材泥を充填し、これを冷凍した後、凍結した陶材塊をコアから離型し、該陶材塊を焼成する冷凍加工方法が採用されることがある（本発明者による特開平１０−３０５０４６号公報参照）。この方法において、コアに陶材泥を充填し、該陶材泥をコア内で締め固める従来方法として、注入法や加圧法がある。注入法とは、注入口からコア内にスラリー状の陶材泥を加圧充填する方法であり、閉塞したコアを用いる。また、加圧法とは、加圧方向に二分割した分割型の雌コアにスラリー状の陶材泥を充填した後、雄コアを被せてプレスをかけるというものである。
【０００３】
【発明が解決しようとする課題】
しかしながら、上述した従来の充填方法の何れもが、陶材泥を緻密且つ均一に充填するという目的を充分に達成し得るものではなかったのである。即ち、注入法によれば、フローを与えるためＷ／Ｐの大きなスラリーとなり、注入後、緻密にするのが困難であった。さらに、色が異なる陶材を積層成型することが困難であった。
【０００４】
ところで、より自然歯に近い複雑な形状の人工歯を作製する場合、印象材としてシリコンラバーなどの弾性材によってコアを作製することが多い。つまり、弾性型であればアンダーカット状の凍結陶材塊を容易に離型することができるからである。しかし、この弾性型に上記加圧法を適用すると、コア自体が加圧に耐えることができず、プレス時に弾性型が変形することがあり、精度の高い凍結陶材塊を得ることが困難であった。また、コアの形状が複雑な場合、陶材泥を均一に加圧することも困難であった。
【０００５】
本発明は上述した課題を解決するためになされたもので、その目的とするところは、振動による陶材泥の締固めを簡単且つ精度よく行うことができる装置を提供することである。
【０００６】
【課題を解決するための手段】
上述した目的を達成するために本発明では、支柱を直立に支持してなる本体と、前記支柱から迫り出して設けられた分割コアのセット台と、該セット台の上部に位置して前記支柱に上下スライド自在に設けられ、前記分割コアと合致するように他の分割コアを取付け可能なスライド台とから陶材泥の締め固め装置を構成した。なお、締め固め時には本装置を振動装置にかける必要があるが、該振動装置は別途に構成してもよいし、本装置に内蔵または一体としてもよい。
【０００７】
また、本装置を上下逆さまでも使用できるように、請求項２では、セット台を支柱に対して上下スライド自在に設けるという手段を用いた。
【０００８】
さらに、請求項３では、セット台と上部のスライド台の間隔を調整可能なスペーサを設けたので、咬合面の厚い（高い）人工歯を作製することが可能である。
【０００９】
また、請求項４では、本体にフックを設け、上部のスライド台を適宜高さに仮固定可能としたので、セット台へのコアの装着や該コアへの陶材泥の充填時にスライド台が邪魔となることがない。
【００１０】
【発明の実施の形態】
以下、本発明の好ましい実施の形態を添付した図面に従って説明する。図１は本発明の一実施形態に係る締め固め装置の全体図である。同図中、１は本体であって、支柱１ａを下部台座１ｂによって直立状態に支持してなり、上部にはストッパー１ｃを迫り出している。２はスライド台であり、支柱１ａに設けたスライド溝１ｄに沿って上下にスムーズにスライドする。３はコア４を載置するテーブルであって、スライド台２に固定される。なお、１ｅは下部台座１ｂに設けたゴムやスポンジなどからなる緩衝部である。
【００１１】
なお、この実施形態では、上部にもスライド台５およびテーブル６を設けており、同じ構造のスライド台およびテーブルを上下一対に設けてなる。また、本体１の下部台座１ｂ（緩衝部１ｅを含む）およびストッパー１ｃも全く同じ構造である。つまり、この実施形態に係る締め固め装置は、上下を逆さにしても全く同じ機能を発揮するのである。
【００１２】
次に、上記構造からなる締め固め装置の使用方法を説明する。先ず、下のスライド台２にコア４を固定したテーブル３を取付ける。この実施形態の場合、コア４は分割型の雌コアを用い、予め陶材泥が充填されている。なお、用いるコア４の材質や印象形状、陶材泥の種類は症例によって決定することができる。また、陶材泥の充填は、単色泥と多色泥を積層する手段があるが、何れの場合であっても陶材を水を主とした練和液で練和し、脱泡処理を行っておくことが好ましい。さらに、陶材については、従来技術に挙げた本発明者の出願に開示したように、細かく、均一な粒径の粉末を用いることが好ましいが、その他の公知の陶材粉末を用いることを排除するものではない。そして、上のスライド台５に雄コア７を固定したテーブル６を該雄コア７が雌コア４と合致するように取付ける。
【００１３】
続いて、上記のように分割コア４・７をセットした本装置を振動装置（図示せず）にしっかりと接触するように載置する。すると、当該振動によって、雌コア４に充填した陶材泥が液状化現象を起こし、余剰水を表出し、雌コア４内で陶材泥が緻密且つ均一に締め固められる。これと同時に、雄コア７がその自重および上部スライド台５・テーブル６の総荷重によって陶材泥に沈降して、陶材泥への印象の印記が完了する。ここで、本実施形態では下部台座１ｂに緩衝部１ｅを設けているため、台座１ｂに下のスライド台２が直接接触せず、緩衝部１ｅによってスライド台２の振動が吸収されるため、ガタつき音の発生をなくすことができると共に、スライド台２への振動を適当なものとすることができる。なお、雌コア４における陶材泥の液状化と雄コア７の沈降は同時に行う必要はなく、液状化が完了するまで上部のスライド台５を後述する構造によって仮固定しておき、当該完了後、仮固定を解除して雄コア７の沈降作業を進めてもよい。このようにして陶材泥への印象印記が終了したなら、本装置からコアを取り外し、または本装置と共に冷凍することによって凍結陶材塊を得ることができ、適宜、補正するなどした後、該陶材塊を焼成することによって人工歯の作製が完了することはもちろんである。
【００１４】
ところで、上記実施形態では、上部のスライド台５およびテーブル６を重りとして機能させ、雄コア７を雌コア４内の陶材泥に均一に沈降させることとしたが、雄コア７が適当な重量を有する場合には、スライド台５およびテーブル６を省略し、雄コア７の自重のみによって該雄コアを陶材泥に沈降させることも可能である。さらに、例えばクラウンを作製するときなどは、雄コア７を用いず、雌コア４のみを用いることもある。つまり、この場合、下部のスライド台２に雌コア４付きのテーブル３のみをセットし、これを振動装置にかけることによって、雌コア４内の陶材泥を液状化させ、余剰水を表出させてこれを除去できると共に、雌コア４内に陶材泥を緻密且つ均一に締め固めることができる。
【００１５】
また、上記実施形態では、雄コア７の沈降度を調整することなく、雌コア４内に合致させることとしたが、例えば咬合面の厚い（高い）人工歯を作製する場合は、図２に示したように、下部スライド台２と上部スライド台５の間にスペーサ８を設けることも可能である。
【００１６】
さらに、上記実施形態では、本体１の上部ストッパー１ｃが上部スライド台５の抜け防止として機能するが、これらは常に迫り出した状態にあるため、下部スライド台２にコアやテーブルをセットするときやコアに陶材泥を充填するときにストッパー１ｃや上部スライド台５が作業の邪魔になることがある。そこで、図３に示したように、該ストッパー１ｃをヒンジ９によって開閉自在に支柱１ａに設けることも可能である。さらに、上部スライド台５を適宜位置で仮固定するためには、図４に示したように、開閉可能なフック１０によって固定しておくことも可能である。
【００１７】
なお、上記実施形態では、締め固め時に本装置を別途の振動装置にセットすることを説明したが、該振動装置は装置に内蔵されたものであってもよい。本発明において必要なことは、本体等が振動に耐えうる強度を有し、且つ、振動時でも何ら支障なくスライド台がスムーズにスライドする構成とすることである。さらに、上記実施形態では、下部のスライド台２も本体支柱１ａにスライド自在に設けたが、これは上述したように本装置を上下逆さまでも使用できるようにするためであり、仮に上下方向を固定するのであれば、少なくとも上部のスライド台５のみをスライド自在に設ければよく、下部のスライド台は固定されたコアのセット台としてもよい。
【００１８】
【発明の効果】
以上説明したように、本発明によれば、簡単な構成でありながら、分割型内にセラミック粉末等の陶材泥を容易に、しかも緻密且つ均一に充填でき、また型の変形がないまま精度よく締め固めることができる。また、請求項２によれば、装置を上下逆さまにしても同じ機能を得ることができる。さらに、請求項３によれば、咬合面の高さが異なる人工歯の作製が容易となり、また請求項４によれば本装置へのコアの装着や陶材泥の充填を作業性よく行うことができる。
【図面の簡単な説明】
【図１】本発明の一実施形態に係る締め固め装置の全体側面図
【図２】同装置の応用例
【図３】同装置のさらなる応用例
【図４】同装置の別の応用例
【符号の説明】
１　本体
１ａ　支柱
１ｂ　下部台座
１ｃ　上部ストッパー
２　下部のスライド台
３　下部のテーブル
４　コア（雌コア）
５　上部のスライド台
６　上部のテーブル
７　コア（雄コア）
８　スペーサ
９　ヒンジ
【図１】
2004016740.tif 000003
【図２】
2004016740.tif 000004
【図３】
2004016740.tif 000005
【図４】
2004016740.tif 000006